(57)【要約】      （修正有）【課題】使用者の足から皮膚を除去するための装置を提供する。【解決手段】装置１０は足裏に対して配置するように構成された第一表面１６を有する基材１２と、皮膚除去のために好適な摩耗表面１８を有する要素１４とを含む。使用の際、使用者は要素１４を基材１２に単に接続し、一方の足（左又は右）の足裏に対して組み立てられた装置１０を固定する。次いで使用者は装置１０の基材１２上に足を立て、十分な皮膚除去が達成されるまで要素１４の摩耗表面１８に対して他方の足を（立ちながら又は座りながら）摩擦する。皮膚除去が完了すると、装置１０は足からはずされ、保管される。例えば穴２６からシャワー壁上に掛けられる。【選択図】  図１
2007021169.tif 000002
【特許請求の範囲】
【請求項１】
使用者の足から皮膚を除去するための装置であって、足裏の少なくとも一部に対して配置するように構成された第一表面を有する基材と、皮膚除去のために好適な摩耗表面を有する要素とを含み、前記要素は使用者が（ｉ）第一の足の前記足裏の前記少なくとも一部に対して前記基材を固定し；そして（ｉｉ）前記摩耗表面に対して第二の足を摩擦すること、ができるような態様で前記基材に取り付けられることができる装置。
【請求項２】
前記基材の第二表面が滑らない表面として構成される請求項１に記載の装置。
【請求項３】
前記要素が二つの端を有するバンドとして造形され、前記二つの端が前記基材の長さに沿って対向する側に取り付けられることができる請求項１に記載の装置。
【請求項４】
前記摩耗表面が５０〜４００グレードのサンドペーパである請求項１に記載の装置。
【請求項５】
使用者は、前記第一の足が床面に対して静止しながら前記摩耗表面に対して前記第二の足を摩擦することができる請求項１に記載の装置。
【請求項６】
前記バンドがストラップとして機能する請求項３に記載の装置。
【請求項７】
前記ストラップの前記二つの端の取り付け角度が変動可能な幅のストラップを形成するように選択される請求項６に記載の装置。
【請求項８】
前記基材は、各々が前記バンドの前記二つの端のうちの一つの端を受けるための二つのスリットを伴って構成される請求項３に記載の装置。
【請求項９】
前記基材の寸法及び形状は、前記足裏の前記少なくとも一部に対して固定されるときに前記基材の前記表面が前記足裏の少なくとも一部に接触するように、選択される請求項１に記載の装置。
【請求項１０】
使用者の足から皮膚を除去するためのキットであって、足裏の一部に対して配置するように構成された第一表面を有する少なくとも一つの基材と、皮膚除去のために好適である特定の磨耗性の摩耗表面を各々有する複数の要素とを含み、前記少なくとも一つの基材が前記複数の要素のうちの一つの要素へ取り付けることができるように構成されるキット。
【請求項１１】
前記取り付けは、使用者が（ｉ）第一の足の前記足裏の前記少なくとも一部に対して前記少なくとも一つの基材のうちの一つの基材を固定し；そして（ｉｉ）前記摩耗表面に対して第二の足を摩擦すること、ができる装置を形成する請求項１０に記載のキット。
【請求項１２】
前記基材の第二表面が滑らない表面として構成される請求項１０に記載のキット。
【請求項１３】
前記複数の要素の各々が二つの端を有するバンドとして造形され、前記二つの端が前記少なくとも一つの基材の長さに沿って対向する側に取り付けられることができる請求項１０に記載のキット。
【請求項１４】
前記摩耗表面が５０〜４００グレードのサンドペーパである請求項１０に記載のキット。
【請求項１５】
前記バンドがストラップとして機能する請求項１３に記載のキット。
【請求項１６】
前記少なくとも一つの基材に対する前記ストラップの前記二つの端の取り付け角度が変動可能な幅のストラップを形成するように選択される請求項１５に記載のキット。
【請求項１７】
前記少なくとも一つの基材は、各々が前記バンドの前記二つの端のうちの一つの端を受けるための少なくとも二つのスリットを伴って構成される請求項１３に記載のキット。
【請求項１８】
前記少なくとも一つの基材の寸法及び形状は、前記足裏の前記少なくとも一部に対して固定されるときに前記少なくとも一つの基材の前記表面が前記足裏の少なくとも一部に接触するように、選択される請求項１１に記載のキット。
【発明の詳細な説明】
【技術分野】
【０００１】
本発明は、足の皮膚の剥離のために構成された装置、特に足の皮膚の手を使わない除去を可能にする装置に関する。
【背景技術】
【０００２】
足の皮膚の増殖及び硬化（例えば、たこ又はうおのめ）は足に対する長い摩擦及び圧力によって起こされる繰り返される問題である。かかる皮膚の増殖は余分の皮膚の除去（皮膚剥離）のための周期的な処置を必要とする。
【０００３】
例えば薬物添加パッド又は皮膚除去装置（例えば、削り器、摩耗器）を利用する処置アプローチの多数の例が公知である。
【０００４】
皮膚除去装置は一般に、手で操作される装置と表面に装着／固定された装置とに分類される。
【０００５】
手で操作される装置は米国特許第２５９７５２５；３１３１７０１；３７３３６３４；５３８５５３２；５８５８６８８及び６５５１２６２によって例示される。かかる装置は、それらが手の操作を要求し、それが特にシャワー又はバスタブで実施されるときに疲れさせるとともに困難性がある点で制限されている。
【０００６】
手で操作される装置のこの制限を克服するために幾つかの表面に装着／固定された剥離構成が考案されている。
【０００７】
一つのかかる装置は米国特許第４２４６９１４によって開示される。この装置は摩耗表面と滑らかな表面を有する細長い棒として構成される。使用時に、棒は使用者の足の付与された圧力下で床上に置かれ、それは棒が床上で静止したままであることを保障する。次いで使用者は余分の皮膚を除去するために彼の他の足を摩耗表面を横切るように引く。
【０００８】
この構成は使用者が自分の手を使用する必要はないが、かかる装置の使用はやっかいである。なぜならば装置が使用時に静止したままであることを確実にすることを使用者に要求するからである。
【０００９】
使用者が装置を使用している間、シャワー又はバスタブ中で安全に立つことができる、足から余分の皮膚を除去するための手段に対する必要性が広く認識されており、それを持つことは極めて有利であるだろう。
【発明の開示】
【００１０】
本発明の一側面によれば、使用者の足から皮膚を除去するための装置であって、足裏の少なくとも一部に対して配置するように構成された第一表面を有する基材と、皮膚除去のために好適な摩耗表面を有する要素とを含み、前記要素は使用者が（ｉ）第一の足の前記足裏に対して前記基材を固定し；そして（ｉｉ）前記摩耗表面に対して第二の足を摩擦すること、ができるような態様で前記基材に取り付けられることができる装置が提供される。
【００１１】
以下に述べる本発明の好ましい実施態様におけるさらなる特徴によれば、前記基材の第二表面は滑らない表面として構成される。
【００１２】
記載された好ましい実施態様におけるさらなる特徴によれば、前記要素は二つの端を有するバンドとして造形され、前記二つの端は前記基材の長さに沿って対向する側に取り付けられることができる。
【００１３】
記載された好ましい実施態様におけるさらなる特徴によれば、前記摩耗表面は５０〜４００グレードのサンドペーパである。
【００１４】
記載された好ましい実施態様におけるさらなる特徴によれば、使用者は、前記第一の足が床面に対して静止しながら前記摩耗表面に対して前記第二の足を摩擦することができる。
【００１５】
記載された好ましい実施態様におけるさらなる特徴によれば、前記バンドはストラップとして機能する。
【００１６】
記載された好ましい実施態様におけるさらなる特徴によれば、前記ストラップの前記二つの端の取り付け角度は変動可能な幅のストラップを形成するように選択される。
【００１７】
記載された好ましい実施態様におけるさらなる特徴によれば、前記基材は、各々が前記バンドの前記二つの端のうちの一つの端を受けるための二つのスリットを伴って構成される。
【００１８】
記載された好ましい実施態様におけるさらなる特徴によれば、前記基材の寸法及び形状は、前記足裏の前記少なくとも一部に対して固定されるときに前記基材の前記表面が前記足裏の少なくとも一部に接触するように、選択される。
【００１９】
本発明の別の側面によれば、使用者の足から皮膚を除去するためのキットであって、足裏の一部に対して配置するように構成された第一表面を有する少なくとも一つの基材と、皮膚除去のために好適である特定の磨耗性の摩耗表面を各々有する複数の要素とを含み、前記少なくとも一つの基材が前記複数の要素のうちの一つの要素へ取り付けることができるように構成されるキットが提供される。
【００２０】
記載された好ましい実施態様におけるさらなる特徴によれば、前記取り付けは、使用者が（ｉ）第一の足の前記足裏に対して前記少なくとも一つの基材のうちの一つの基材を固定し；そして（ｉｉ）前記摩耗表面に対して第二の足を摩擦すること、ができる装置を形成する。
【００２１】
記載された好ましい実施態様におけるさらなる特徴によれば、前記基材の第二表面は滑らない表面として構成される。
【００２２】
記載された好ましい実施態様におけるさらなる特徴によれば、前記複数の要素の各々は二つの端を有するバンドとして造形され、前記二つの端は前記少なくとも一つの基材の長さに沿って対向する側に取り付けられることができる。
【００２３】
記載された好ましい実施態様におけるさらなる特徴によれば、前記摩耗表面が５０〜４００グレードのサンドペーパである。
【００２４】
記載された好ましい実施態様におけるさらなる特徴によれば、前記バンドがストラップとして機能する。
【００２５】
記載された好ましい実施態様におけるさらなる特徴によれば、前記少なくとも一つの基材に対する前記ストラップの前記二つの端の取り付け角度は変動可能な幅のストラップを形成するように選択される。
【００２６】
記載された好ましい実施態様におけるさらなる特徴によれば、前記少なくとも一つの基材は、各々が前記バンドの前記二つの端のうちの一つの端を受けるための少なくとも二つのスリットを伴って構成される。
【００２７】
記載された好ましい実施態様におけるさらなる特徴によれば、前記少なくとも一つの基材の寸法及び形状は、前記足裏の前記少なくとも一部に対して固定されるときに前記少なくとも一つの基材の前記表面が前記足裏の少なくとも一部に接触するように、選択される。
【００２８】
本発明は、使用が容易であり、手を使わない、足の皮膚の除去装置を提供することによって現在知られている構成の欠点に対してうまく対処する。
【００２９】
特記しない限り、本明細書で使用される全ての技術的及び科学的用語は本発明が属する技術分野の熟練者の一人によって一般に理解されるのと同じ意味を有する。本明細書で記載されたものと同様又は等価の方法及び材料は本発明の実施又は試験に使用されることができるが、好適な方法及び材料が以下に記載される。矛盾する場合、定義を含む特許明細書が支配する。さらに、材料、方法及び実施例は例示にすぎず、限定することを意図しない。
【００３０】
図面の簡単な記述
本発明は添付図面を参照して例示としてのみここに記載される。特に図面を詳細に参照すると、示された詳細は例示であり、本発明の好ましい実施態様の説明の目的のためであるにすぎず、本発明の原理及び概念の側面の記載を最も有用かつ容易に理解されるものと思われるものを与えていることが強調される。この点に関して、本発明の基本的な理解のために必要である以上に本発明の構造的詳細を示す試みは全くなされず、図面とともになされた記載は本発明の幾つかの形態がどのように実際に具体化されるかを当業者に明らかにしている。
図１〜５は本発明の足の皮膚の除去のための装置の一つの好ましい実施態様の様々な図を示す。
図６は図１〜５に示された本発明の装置の摩耗表面要素の透視図である。
【発明を実施するための最良の形態】
【００３１】
本発明は足の皮膚の除去のために使用されることができる装置及びキットである。特に、本発明は手の操作の必要性なしで使用者の足から死んだ皮膚を除去するために使用されることができる。
【００３２】
本発明の少なくとも一つの実施態様を詳細に説明する前に、本発明は以下の記載で述べた又は図面で示された構成要素の配置及び構成の詳細にその適用を制限されないことが理解されるべきである。本発明は他の実施態様であることができるか又は種々の方法で実施又は実行されることができる。また、ここで使用される語法及び用語は説明の目的のためであり、限定としてみなすべきでないことが理解されるべきである。
【００３３】
足の皮膚の除去のために使用されることができる装置及びシステムは従来技術として多く存在する。しかしながら、公知の装置は使用者に対して手で装置を操作することを要求するか又は使用がやっかいである。
【００３４】
本発明の装置は手の操作の必要性なしで立ったままでシャワー又は他の制限された空間で手を自由にしながら使用できる装置及びキットを提供することによって従来技術の装置の制限を克服する。
【００３５】
従って、本発明の一つの側面によれば、使用者の足から皮膚を除去するための装置が提供される。装置は足裏の少なくとも一部（例えば、前部分）に対して配置するために構成された第一表面を有する基材と、皮膚除去のために好適な摩耗表面を含む要素とから構成される。基材と要素の間の取り付けは、使用者が第一の足の足裏に対して基材を固定でき、要素の摩耗表面に対して第二の足を摩擦できるような態様で実施される。
【００３６】
図を参照すると、図１〜６は本発明の装置を示し、それは装置１０として以下参照される。
【００３７】
装置１０は基材１２（図５では分離されて示される）及び基材１２に取り付けることができる要素１４（図６では分離されて示される）を含む。基材１２は使用者の足裏に対して配置するように適応され、このようにかかる使用のために構成される第一表面１６を含む。図１〜５は足裏状基材を示すが、足裏のいずれかの部分（例えば、前部分）に対しても適合されることができる基材が考えられることが認識されるだろう。基材１２は使用者の足及び望まれる足裏の被覆面積によっていずれのサイズのいずれの材料からも作られることができる。好適な材料は木材、金属、炭素繊維及びナイロンの如きポリマー、プラスチックなどであり、かかる材料は基材１２の形状を形成するために注型、押出又は射出成型されることができる。足の皮膚の剥離はシャワーで頻繁に実施されるので、基材１２は耐水性材料から作られ、第二の滑らない表面２０（例えば、隆起を伴って構成されるか又はネオプレンで被覆される）を含むことが好ましい。
【００３８】
基材１２は使用者の足裏全体又はそのいずれかの所望の部分に対して配置するために好適な寸法で作られることが好ましい。このように、典型的な長さは５〜４０ｃｍであり、一方幅は７〜１５ｃｍの範囲から選ばれる。使用者の足裏の形状に従う（靴の中底の形状と同様の）変動可能な幅の基材も考えられることは注目されるべきである。基材１２の幅は使用時に十分な剛性を与えるように選択され、製造のために利用される材料によって典型的には０．５〜１．５ｃｍである。
【００３９】
要素１４は少なくとも一つの摩耗表面１８を含み、それはそれに対して摩擦されるとき皮膚を除去できるものを選択される。要素１４は、それが基材１２に取り付けることができ、かつ使用者の足を基材１２に固定できる限り、いかなる形状で構成されることもできる。好ましい形状は８〜３０ｃｍの範囲から選択された長さ及び２〜１０ｃｍの範囲から選択された幅を持つストリップ又はバンド（図６）である。様々なタイプの摩耗表面１８を要素１４上に形成でき、又は要素１４に取り付けることができる。その例としては溝、フック、歯などで構成された表面が挙げられる。要素１４で使用されることができる種々の摩耗被覆は３Ｍ  ｃｏｒｐｏｒａｔｉｏｎから入手可能である。好ましい摩耗表面１８はサンドペーパから形成されたものである。いずれのタイプのサンドペーパ又はサンドペーパ状表面を要素１４に使用することができ、４０〜５００の粗さが好ましい。本発明で使用可能なサンドペーパ表面の例は特に限定されないが、３Ｍ  ｃｏｒｐｏｒａｔｉｏｎから商業的に入手可能なもの（ｃｍｓ．３ｍ．ｃｏｍ／ｃｍｓ／ＵＳ／ｅｎ／２−１８８／ｋｒｉｉｌＦＲ／ｖｉｅｗ．ｊｈｔｍｌ）の如きいずれかの乾式又は湿式サンドペーパを含む。
【００４０】
サンドペーパ摩耗表面１８の一つの利点は、要素１４がサンドペーパストリップ又はバンドから全体を作ることができ、それによって製造のコストを低減することである。
【００４１】
上述したように、要素１４は第一表面１６を使用者の第一の足の足裏に固定しながら手の操作なしで第二の足から皮膚を除去できるような態様で基材１２に取り付けることができる。
【００４２】
かかる取り付けは接着、縫製、溶接、ピン留め又はステープル留めを含む幾つかの手段のいずれか一つによって実施されることができる。
【００４３】
好ましくは、要素１４は基材１２の対向する側に沿って形成されるスリット２２（図５では四つが示される）によって基材１２に取り付けられる。かかるスリットは、要素１４の端２４をそれに通すことが要素１４を基材１２に取り付けることになり、サンダルのストラップに似たループを形成するように、構成される。取り付けのためのスリット２２の使用は使用者が好ましいループサイズ（スリットの選択及び／又はそれを通る要素の端２４の長さによる）を設定することを可能にし、また必要により（例えば、摩耗表面１８が使い尽くされたときに）要素１４の容易な交換を可能にする。スリット２２の使用はまた、表面２０に対して要素１４の端２４を単に折り返すことによって基材１２への要素１４の固定を可能にする点で有利である。基材１２上への連続した踏みつけは要素１４が適所に固定されたままであることを確実にする。
【００４４】
装置１０は一つ以上の基材サイズ及び幾つかのサイズ及び／又は摩耗表面グレード／粗さの幾つかの要素１４を含むキットの一部として包装されることができる。
【００４５】
使用の際、使用者は要素１４を基材１２に単に接続し、一方の足（左又は右）の足裏に対して組み立てられた装置１０を固定する。次いで使用者は装置１０の基材１２上に足を立て、十分な皮膚除去が達成されるまで要素１４の摩耗表面１８に対して他方の足を（立ちながら又は座りながら）摩擦する。皮膚除去が完了すると、装置１０は足からはずされ、保管される。例えば穴２６からシャワー壁上に掛けられる。
【００４６】
分かりやすくするため別個の実施態様で説明されている本発明のいくつもの特徴は、組み合わせて単一の実施態様にして提供することもできることは分かるであろう。逆に、簡略化するため単一の実施態様で説明されている本発明の各種特徴は、別個に又は適切なサブコンビネーションで提供することもできる。
【００４７】
本発明を、その具体的実施態様とともに説明してきたが、多くの代替、変形及び変更が当業技術者には明らかであることは明白である。したがって、本発明は、本願の特許請求の範囲の精神と広い範囲内に入っているこのような代替、変形及び変更をすべて含むことを意図する。本明細書に記載のすべての刊行物、特許及び特許願は、あたかも、個々の刊行物、特許又は特許願各々が、本願に具体的にかつ個々に参照して示されているように、本願に援用するものである。さらに、本願における任意の文献の引用もしくは確認は、このような文献が本発明に対する従来技術として利用できるという自白とみなすべきではない。
【図面の簡単な説明】
【００４８】
【図１】本発明の足の皮膚の除去のための装置の一つの好ましい実施態様の図を示す。
【図２】本発明の足の皮膚の除去のための装置の一つの好ましい実施態様の図を示す。
【図３】本発明の足の皮膚の除去のための装置の一つの好ましい実施態様の図を示す。
【図４】本発明の足の皮膚の除去のための装置の一つの好ましい実施態様の図を示す。
【図５】本発明の足の皮膚の除去のための装置の一つの好ましい実施態様の図を示す。
【図６】図１〜５に示された本発明の装置の摩耗表面要素の透視図である。
【図１】
2007021169.tif 000003
【図２】
2007021169.tif 000004
【図３】
2007021169.tif 000005
【図４】
2007021169.tif 000006
【図５】
2007021169.tif 000007
【図６】
2007021169.tif 000008